(57)【要約】      （修正有）【課題】運送手段に縦置きに収納して運送する自動車の板状部品を簡便かつ容易に包装でき、傷や凹みなどの発生を防いだ運送ができ、製作も容易である等といった利点を有する包装材の提供。【解決手段】包装材１は、１枚の方形状のシート材２から形成した袋部３と蓋部４とからなっており、袋部３を折り返し自在なフラップ３ａを有する開放端側の両側部が開放した半開きの袋状に形成してある。シート材２は、クッション性を持たすために緩衝材２ｂを介挿して縫製した布状素材からなる。フラップ３ａを折り返した袋部３に自動車の板状部品のボンネットを収容し、フラップ３ａを元に戻し、ついで蓋部４を折り返して袋部３に蓋をし、フラップ３ａと蓋部４の面ファスナー６、８同士を結合し、蓋部４を袋部３に固定して、ボンネットを包装材１で包装した包装物が得られる。【選択図】図１
2009149330.tif 000002
【特許請求の範囲】
【請求項１】
運送手段に縦置きに収納して運送する自動車の板状部品を包装する包装材であって、1枚のシート材の一端側を折り返して２層に重ね合わすか、1枚のシート材の一端側にこれよりも短いシート材を２層に重ね合わせて、該２層に重ね合わせたシート部を自動車の板状部品を収容する開放端側が折り返し可能な半開きの袋部に形成するとともに、前記シート材を重ね合わせないシート部を折り返して前記板状部品を収容した前記袋部に固定する蓋部としたことを特徴とする自動車板状部品の包装材。
【請求項２】
前記シート材が複数枚の布材に緩衝材を挟みこんで縫合した布状素材からなることを特徴とする請求項１記載の自動車板状部品の包装材。
【請求項３】
前記袋部と前記蓋部とに面ファスナーを設けて、前記面ファスナーの結合により前記蓋部を前記袋部に固定することを特徴とする請求項１または２記載の自動車板状部品の包装材。
【請求項４】
前記シート材が複数枚のクラフト紙を貼り合わせた紙素材からなり、前記袋部の折り返し可能な部分を除く部分の両側部にマチを持たせた形状に該袋部を形成することを特徴とする請求項１記載の自動車板状部品の包装材。
【請求項５】
前記蓋部を前記袋部に粘着テープにより固定することを特徴とする請求項４記載の自動車板状部品の包装材。
【請求項６】
前記袋部に前記板状部品を前記袋部との間に緩衝材を介在させて収容することを特徴とする請求項４または５記載の自動車板状部品の包装材。
【発明の詳細な説明】
【技術分野】
【０００１】
本発明は、コンテナなどの運送手段に縦置きに収納して運送するボンネット等の自動車の板状部品の包装材に関する。
【背景技術】
【０００２】
自動車のボンネット、ドア、テールゲート、トランクリッド或いは窓ガラスなど大型の板状部品を運送する場合、傷、凹みなどを防ぐために、板状部品個々の形状と寸法に合わせてダンボールや詰物材等を製作して包装することが一般的である。
このため、板状部品の形状および寸法の数だけ包装材の種類が必要となり、包装材の調達、管理および引当が煩雑で、手間および時間がかかる上に、部品の収容および収容後の固縛にも多大の労力を要する。また、包装材が部品専用に製作されているので、部品を取り出した後には、他の部品に使用する機会はほとんどなく、廃棄物として処理せざるを得ない。したがって、資源の無駄と環境への負荷が大きく、環境上問題であり、関連費用も多大になる。
【０００３】
従来、自動車の板状部品を個々に包装せず、複数枚を積層して包装するようにした集合包装装置が知られている。この包装装置は、凹凸嵌合により上下に積層できるダンボール製の支持部材により、トランクリッドなどの自動車板状部品の前後四隅を支持して、ダンボール製の基板上に板状部品を複数段積層し、この積層物を複数個、個々の間にスペーサを介してスチール製の箱体内に収納するようにしたものである（例えば特許文献１を参照）。
【０００４】
しかしながら、この包装方法では、凹凸嵌合により上下に積層できるダンボール製の支持部材で板状部品の四隅を支持して横置きに積層するため、支持部材の構造が複雑で且つ高強度を有する必要があった。
【特許文献１】特開２００４−２９９６８８号公報
【発明の開示】
【発明が解決しようとする課題】
【０００５】
このようなことから、運送手段に縦置きに収納して運送するのに便宜で、複雑な構造の支持部材等を必要としない自動車板状部品の包装材の開発が要望されていた。
【０００６】
本発明の課題は、上記の現状に鑑み、運送手段に縦置きに収納して搬送する自動車の板状部品を簡便かつ容易に包装でき、簡単に傷や凹みなどの発生を防いで運送ができ、製作も容易で保管スペースも軽減でき、部品取り出し後の廃棄物も実質的に無いか、格段に低減することができる自動車板状部品の包装材を提供することである。
【課題を解決するための手段】
【０００７】
前記課題を解決するために、本発明は、運送手段に縦置きに収納して運送する自動車の板状部品を包装する包装材であって、1枚のシート材の一端側を折り返して２層に重ね合わすか、1枚のシート材の一端側にこれよりも短いシート材を２層に重ね合わせ、該２層に重ね合わせたシート部を自動車の板状部品を収容する開放端側が折り返し可能な半開きの袋部に形成するとともに、前記シート材の重ね合わせないシート部を折り返して前記板状部品を収容した前記袋部に固定する蓋部としたことを特徴とする。
【０００８】
本発明の一態様では、前記シート材が複数枚の布材に緩衝材を挟みこんで縫合した布状素材からなる。前記袋部と前記蓋部とに面ファスナーを設けて、前記面ファスナーの結合により前記蓋部を前記袋部に固定する。本発明の他の態様では、前記シート材が複数枚のクラフト紙を貼り合わせた紙素材からなり、前記袋部を両側部にマチを持たせた形状に形成する。前記蓋部を前記袋部に粘着テープにより固定する。前記袋部に前記板状部品を前記袋部との間に緩衝材を介在させて収容する。
【０００９】
本発明の包装材によれば、自動車のボンネット等の板状部品を袋部に収容し、蓋部を袋部に固定するだけなので、板状部品の包装が簡単であり、また、板状部品の外形に関係なく包装することができる。また、板状部品は運送手段に縦置きに収納して運送するので、包装材を構成するシート材にクッション性を持たせるか、袋部に板状部品を緩衝材と一緒に収容することによって、板状部品を簡単に保護して傷や凹みなどを発生することなく運送することができる。また、袋部は開放端側が折り返し可能なフラップとなった半開きの形状に形成しているので、板状部品が大型であっても袋部に容易に収容できる。また、包装材は１枚または２枚のシート材から袋部および蓋部を有する形状に製作するので製作が容易であり、その形態も扁平なので保管スペースも軽減できる。
【００１０】
さらに、包装材を布状素材からなるシート材で製作した場合には、包装材を耐久性の高いものにして繰り返し使用することができ、部品取り出し後の廃棄物を実質上皆無にすることができる。また、その布状素材を構成する複数枚の布材の間に緩衝材を挟みこむことによって、包装材とは別に緩衝材を用いることなくそのまま包装に使用することができる。袋部と蓋部とに面ファスナーを設けた場合には、簡単に蓋部で袋部に蓋をすることができる。一方、包装材を構成するシート材を複数枚のクラフト紙を貼り合わせた紙素材とした場合には、袋部の折り返し可能な部分を除く部分の両側部にマチを持たせることにより、紙製であっても破れることなく板状部品の形状に応じて袋部内の空間を膨らませて収容することができる。また、包装材を紙製とすることにより安価に製作できるので、使い捨て使用することができ、部品取り出し後の廃棄物の処理も容易である。
【発明の効果】
【００１１】
本発明の包装材によれば、運送手段に縦置きに収納される自動車の板状部品を簡便かつ容易に包装でき、簡単に傷や凹みなどの発生を防いで運送ができ、製作も容易で保管スペースも軽減でき、部品取り出し後の廃棄物も実質的に無いか、格段に低減することができる。
【発明を実施するための最良の形態】
【００１２】
本発明の一実施形態を図面に基き詳述する。図１は、本発明の自動車板状部品の包装材を示す図である。図1に示されるように、本実施形態の包装材１は、１枚の方形状のシート材２から形成した袋部３と蓋部４とからなっている。シート材２には丈夫な布状素材が使用されている。本例では、シート材２にクッション性を持たすために、布状素材の２枚のＰＥ製基布２ａの間に軟質ウレタンフォームのマットからなる緩衝材２ｂを介挿し、２枚の基布２ａの周囲を縫製してシート材２を形成してある。基布２ａの表面には水などに対する耐候性を持たせるためにＰＥコートを施してある。
【００１３】
袋部３は、シート材２の一端側を長手方向に折り返して２層に重ね合わせ、該２層に重ね合わせたシート部の両側部を長手方向に縫製することにより形成されている。蓋部４は、折り返したシート材２の重ね合わせないシート部として形成されている。
【００１４】
本発明の大きな特徴は、袋部３に自動車の大型の板状部品を収容しやすくするために、２層に重ね合わせたシート部の両側部は折り返し端から長手方向の途中まで縫合して、袋部３を折り返し自在なフラップ３ａを有する開放端側の両側部が開放した半開きの袋状に形成した。袋部３の底部およびこれに近い両側部は、補強用の布５で両側から刳るんで縫合し補強してある。
【００１５】
蓋部４は、袋部３の開口側先端部のところで蓋部４側に折り返した際に、フラップ３ａの基端部にほぼ達する長さを有している。折り返して袋部３に重ねた蓋部４を固定するために、袋部３のフラップ３ａと蓋部４とにはそれぞれ、両側部とそれらの間の複数個所に面ファスナー６、８が設けられている。蓋部４の面ファスナー８は短い形状に設けられ、フラップ３ａの面ファスナー６は、蓋部４の袋部３への重なりの大小に対応できるように、フラップ３ａの折れ曲がりの起点となる基端部と開口側先端部との間に渡る長い形状に設けられる。
【００１６】
なお、フラップ３ａの基端部の近くには、部品を収容した包装材１を手で運ぶのに便利なように、布紐等で手で持つ取手７を設けることができる。同様な取手７は袋部３の位置の包装材１の裏面にも複数箇所設けることができる。
【００１７】
本包装材１は、自動車のボンネット、ドア、テールゲート、トランクリッド或いは窓ガラスなどのような大型の板状部品を収容して、コンテナ等の運送手段に縦置きに収納して運送するのに使用される。
【００１８】
本包装材１の使用法を自動車のボンネットを例にとって説明する。まず、図２（ａ）に示すように、ボンネット１０を横倒しにして、ボンネット１０の挿入方向先端側となる基端部の両端をＶ字状の受け部を有する保護ブロック１１を取り付けて保護する。ついで、袋部３のフラップ３ａを折り返してボンネット１０を入れ易くして、フラップ３ａを折り返した袋部３内にボンネット１０を挿入する。
【００１９】
ついで、図２（ｂ）に示すように、折り返したフラップ３ａを元に戻してボンネット１０上に重ね、ボンネット１０を袋部３内に収容した状態を得る。この場合、袋部３に収容したボンネット１０は一部が袋部３から露出しているが、蓋部４がボンネット１０の露出部分を覆って袋部３に蓋をできればよい。そして、図２（ｃ）に示すように、包装材１の蓋部４を折り返して、図２（ｄ）に示すように、蓋部４をボンネット１０を収容した袋部３に重ねて蓋をし、フラップ３ａと蓋部４の面ファスナー６、８同士を結合し、蓋部４を袋部３に固定し、ボンネット１０を包装材１で包装した包装物１０Ａが得られる。
【００２０】
ボンネット１０の包装物１０Ａは、図３に示すように、アングル材で形成した枠状の運搬用ケース２０内の左右両側に配置した傾斜姿勢の保持板２２の間に挿入され、このようにして、所定個数のボンネット１０の包装物１０Ａがケース２０に縦置きに収納される。ケース２０は、下面の四隅にホークリフトのホークを差し込む脚部２１ａを有し、上面の四隅を該脚部２１ａと嵌り合う受部２１ｂとして、ボンネット１０の包装物１０Ａを収納したケース２０は、下面の脚部２１ａを下の段のケース２０の上面の受部２１ｂに載置して上下に重ね、運送手段のコンテナ等に複数段に積載して運送される。
【００２１】
本実施形態の包装材１は、以上のように構成され、自動車のボンネット等の板状部品を袋部３に収容し、蓋部４を袋部３に固定するだけなので、板状部品の包装が簡単であり、板状部品の外形に関係なく包装することができる。また、包装材１を構成するシート材２は、布製素材からなるので耐久性が高く、繰り返し使用することができ、部品取り出し後の廃棄物を実質上皆無にすることができる。また、布製素材が緩衝材２ｂを介挿しているので、クッション性が高く、包装材１で包装した板状部品を運搬手段に縦置きに収納することにより、板状部品に傷や凹みなどを発生することなく運送することができる。また、袋部３を開放端側が折り返し可能なフラップ３ａとなった半開きの袋状に形成しているので、大型の板状部品であっても袋部３に容易に収容して包装することができる。さらに、袋部３と蓋部４とに面ファスナー６、８を設けているので、簡単に蓋部４で袋部３に蓋をすることができる。また、包装材１はシート材２の縫製によって袋部３および蓋部４を有する形状に製作するので、製作が容易であり、その形態も扁平なので保管スペースも軽減できる。
【００２２】
以上の実施形態では、袋部３と蓋部４とを有する包装材１を１枚のシート部材２から製作したが、1枚のシート材の一端側にこれよりも短いシート材を２層に重ね合わせて縫製することにより、袋部３と蓋部４とを有する包装材１を製作してもよい。
【００２３】
本発明の他の実施形態について説明する。図４は、本実施形態の包装材を示す図である。本実施形態の包装材１５は、構成材のシート材１６が複数枚のクラフト紙を貼り合わせた紙素材からなる。包装材１５の袋部１７は、シート材１６を２層に重ね合わせたシート部の両側部を途中まで糊付けして、折り返し自在なフラップ１７ａを有する開放端側の両側部が開放した半開き状に形成した。その際、袋部１７内の空間を容易に膨らませて破らずに自動車の大型板状部品を収納可能にするために、袋部１７のフラップ１７ａの部分を除く部分の両側部にマチ１７ｂを持たせた形状とした。このマチ１７ｂは、シート材１７の２層に重ね合わせたシート部の一方の側の両側部に余剰部分を設けておいて、余剰部分を他方の側の両側部に糊付けして設けてもよいが、製作の簡略化のために、２層に重ね合わせたシート部の両側部の間に別体に作製したマチ１７ｂを挟んで糊付けすることにより設けた。
【００２４】
本包装材１５は、シート材１６として紙素材を使用して、使い捨てする安価な形態に製作しているので、蓋部１８を袋部１７に固定するのに粘着テープを使用するようにしており、袋部１７および蓋部１８には面ファスナー等の固定手段を設けていない。また、シート材１６は重ね合わせたクラフト紙の間に緩衝材を介挿することをせず、自動車の板状部品の包装時に緩衝材で部品を保護するようにする。
【００２５】
本実施形態の包装材１５の使用法を図５により説明する。基本的には、前の実施形態と同様である。まず、図５（ａ）に示すように、前と同様、ボンネット１０を横倒しにして、ボンネット１０の挿入方向先端側となる基端部の両端をＶ字状の受け部を有する保護ブロック１１を取り付けて保護する。ついで、袋部１７のフラップ１７ａを折り返してボンネット１０を入れ易くし、ボンネット１０の凸に湾曲している上側に緩衝マット１９を当てて、上側の保護を図った状態で、ボンネット１０をフラップ１７ａを折り返した袋部１７内に挿入する。
【００２６】
ついで、図５（ｂ）に示すように、折り返したフラップ１７ａを元に戻して緩衝マット１９上からボンネット１０に重ね、緩衝マット１９を上側に当てたボンネット１０を袋部３内に収容した状態を得る。そして、図５（ｃ）に示すように、包装材１５の蓋部１８を折り返して、図５（ｄ）に示すように、蓋部１８を緩衝マット１９と共にボンネット１０を収容した袋部１７に重ねて蓋をする。その後、蓋をした蓋部１８を粘着テープ２３で袋部１７に固定し、また蓋をした袋部１７および蓋部１８の両側部に内側に何も入っていない余分の部分２４があったら、その余分な部分２４を袋部１７および蓋部１８上に折り返して粘着テープ２３で固定する。さらに、蓋をした袋部１７および蓋部１８の幅方向中央部を紐２５等で固縛し、ボンネット１０を包装材１５で包装した包装物１０Ｂが得られる。
【００２７】
本実施形態の包装材１５によれば、シート材１６を複数枚のクラフト紙を貼り合わせた紙素材とし、袋部１７の折り返し可能な部分を除く部分の両側部にマチ１７ａを持たせているので、紙製であっても破れることなく自動車のボンネット等の板状部品の形状に応じて容易に袋部１７内の空間を膨らませて収容することができる。また、包装材１５が紙製で安価に製作できるので、使い捨て使用することができ、部品取り出し後の廃棄物の処理も容易である。
【００２８】
もちろん、前の実施形態と同様、板状部品を袋部１７に収容し、蓋部１８を袋部１７に固定するだけなので、板状部品の包装が簡単であり、板状部品の外形に関係なく包装することができる。また、袋部１７を開放端側が折り返し可能なフラップ１７ａとなった半開きの形状に形成しているので、大型の板状部品であっても袋部１７に容易に収容して包装することができ、さらに、包装材１５はシート材１６の糊付けによって袋部１７および蓋部１８を有する形状に製作するので製作が容易であり、その形態も扁平なので、保管スペースも軽減できるといった、前の実施形態と同様な作用効果も奏する。
【図面の簡単な説明】
【００２９】
【図１】本発明の自動車板状部品の包装材の一実施形態を示す図で、上面図（ａ）、裏面図（ｂ）および側面図（ｃ）である。
【図２】図１の包装材の使用法を示す説明図である。
【図３】図１の包装材で包装した包装物を運搬用ケースに収納するところを示す斜視図である。
【図４】本発明の自動車板状部品の包装材の他の実施形態を示す図で、上面図（ａ）および側面図（ｂ）である。
【図５】図４の包装材の使用法を示す説明図である。
【符号の説明】
【００３０】
１、１５        包装材
２              シート材（布状素材）
２ｂ            緩衝材
３、１７        袋部
４、１８        蓋部
３ａ、１７ａ    フラップ
６、８          面ファスナー
１０            ボンネット
１０Ａ、１０Ｂ  包装物
１６            シート材（紙素材）
１７ｂ          マチ
１９            緩衝マット
２０            運搬用ケース
２３            粘着テープ
２５            紐
【図１】
2009149330.tif 000003
【図２】
2009149330.tif 000004
【図３】
2009149330.tif 000005
【図４】
2009149330.tif 000006
【図５】
2009149330.tif 000007